(57)【特許請求の範囲】
【請求項１】
第１入力端子と第２入力端子で構成された一組の入力端子に、それぞれ第１出力端子と第２出力端子で構成された一組の出力端子、第１分岐端子と第２分岐端子で構成された一組の分岐端子を結線して成る２線信号線用分岐器において、
前記一組の出力端子側には、付加出力端子を設け、この付加出力端子を、抵抗素子を介在させて前記出力端子の一方に結線して構成され、
前記抵抗素子の接続されていない側の出力端子と前記付加出力端子とを、リード線によって短絡させることで、終端器として使用できるようにした、２線信号線用分岐器。
【請求項２】
請求項１に記載の２線信号線用分岐器において、
前記一組の分岐端子は、それぞれに保護用素子を介して前記一組の入力端子に結線されている、２線信号線用分岐器。
【請求項３】
制御装置から導出された主回線の中間部および終端部に請求項１または２に記載の２線信号線用分岐器を配置して分岐させた分岐線のそれぞれに、住宅インターホンを接続して構成された集合住宅用インターホンシステムであって、
前記主回線の終端部に配置された２線信号線用分岐器は、前記抵抗素子の接続されていない側の出力端子と前記付加出力端子とをリード線によって短絡させることで、終端器として使用していることを特徴とした集合住宅用インターホンシステム。
【発明の詳細な説明】
【技術分野】
【０００１】
本発明は、２線信号線用分岐器と、それを用いた集合住宅用インターホンシステムに関する。
【背景技術】
【０００２】
従来、集合住宅用インターホンシステムの施工では、制御装置から導出させた主回線の中間部に分岐器を割り込ませて、そこから分岐させた分岐線に各住宅の住宅用インターホン装置を接続していた。図５は分岐器の基本構成を示す概略構成図である。この分岐器１００は、一組の入、出力端子の対応するもの同士を結線させ、その入力端子に一組の分岐端子を結線して構成されている。このような分岐器は、主回線には、システム内に設置すべきインターホン装置に応じた数の分岐器を渡り接続して使用する一方、主回線の終端部の分岐器は、出力端子間に抵抗器１４０を差し込んで終端器として使用される構成になっている。
【０００３】
また次の特許文献には、分岐器に抵抗器とスイッチとを設け、その抵抗器を終端器として機能させるか否かをスイッチ操作によって切り換えることが記載されている。
【先行技術文献】
【特許文献】
【０００４】
【特許文献１】特開平07-297933号公報
【発明の概要】
【発明が解決しようとする課題】
【０００５】
しかしながら上記のように主回線の終端部に接続される分岐器の出力端子間に抵抗器を挿入して終端器としても使用する場合、施工時は作業者がその抵抗器を持ち歩くことになるので、この抵抗器を途中で紛失することも考えられる。また上記特許文献のような構成では、スイッチ設定を行う必要があり、設定操作時にミスを生じると、終端部以外で終端抵抗を働かせてしまう等の問題がある。そこで本発明は、抵抗器の紛失や、施工時のミスも起こしにくい２線信号用の分岐器を提供することを目的とする。
【課題を解決するための手段】
【０００６】
本発明による分岐器は、第１入力端子と第２入力端子で構成された一組の入力端子に、それぞれ第１出力端子と第２出力端子で構成された一組の出力端子、第１分岐端子と第２分岐端子で構成された一組の分岐端子を結線して成る２線信号線用分岐器において、前記一組の出力端子側には、付加出力端子を設け、この付加出力端子を、抵抗素子を介在させて前記出力端子の一方に結線して構成され、前記抵抗素子の接続されていない側の出力端子と前記付加出力端子とを、リード線によって短絡させることで、終端器として使用できるようにしたものである。
【０００７】
前記一組の分岐端子は、それぞれに保護用素子を介して前記一組の入力端子に結線されていてもよい。
【０００８】
本発明による集合住宅用インターホンシステムは、制御装置から導出された主回線の中間部および終端部に、前記２線信号線用分岐器を配置して分岐させた分岐線のそれぞれに住宅インターホンを接続して構成された集合住宅用インターホンシステムであって、前記主回線の終端部に配置された２線信号線用分岐器は、前記抵抗素子の接続されていない側の出力端子と前記付加出力端子とをリード線によって短絡させることで、終端器として使用していることを特徴とする。
【発明の効果】
【０００９】
本発明による２線信号線用分岐器および集合住宅用インターホンシステムでは、抵抗素子の接続されていない出力端子と付加出力端子とをリード線によって短絡させることで終端器として機能する。つまりインターホンシステムの施工時に、従来のように出力端子間に挿入すべき抵抗器を持ち歩く必要がない。抵抗素子の接続されていない出力端子と付加出力端子とをリード線によって短絡させた状態では、そこに信号線を更に接続することはできないので、主回線の途中に終端抵抗を設けてしまう施工ミスも防止できる。
【図面の簡単な説明】
【００１０】
【図１】本発明の２線信号線用分岐器の概略基本構成を示しており、（ａ）は分岐器のみとして使用する場合、（ｂ）は分岐器に加えて終端器としても使用する場合の配線要領を示している。
【図２】本発明の２線信号用分岐器の一実施例を示す外観斜視図である。
【図３】本発明の２線信号用分岐器の他の実施例を示す外観斜視図である。
【図４】２線信号線用分岐器を用いた集合住宅用インターホンシステムのシステム構成図である。
【図５】従来の２線信号用分岐器の概略基本構成図である。
【発明を実施するための形態】
【００１１】
本発明の実施形態として説明する分岐器は、インターホンシステムの主回線に複数の住宅インターホンを接続するため、この主回線を分岐させる用途を想定しているが、他の用途にも当然利用できる。
【００１２】
この分岐器１は  図１の（ａ）、（ｂ）に示す基本構成となっている。すなわち一組の入力端子に、それぞれ一組の出力端子、分岐端子を結線し、更に出力端子側には、付加出力端子を設け、この付加出力端子を、抵抗素子を介在させて出力端子の一方に結線して構成されている。
【００１３】
ここに一組の入力端子は、第１、第２入力端子１１ａ、１１bで構成され、一組の出力端子は、第１、第２の出力端子１２ａ、１２ｂで構成され、一組の分岐端子は、第１、第２の分岐端子１３ａ、１３ｂで構成されている。また付加出力端子は、第３の出力端子１２ｃとして構成されている。
【００１４】
分岐器のみとして使用される図１（ａ）の状態では、入力線のそれぞれが第１、第２入力端子１１ａ、１１ｂに接続され、出力線のそれぞれが第１、第２出力端子１２ａ、１２ｂに接続され、第３出力端子１２ｃは開放されている。また分岐線４のそれぞれが第１、第２分岐端子１３ａ、１３ｂに接続されている。
【００１５】
分岐器の機能に加えて、終端器としても使用される図１（ｂ）の状態では、入力線のそれぞれが第１、第２入力端子１１ａ、１１ｂに接続され、第２、第３出力端子１２ｂ、１２ｃがリード線３によって短絡されている。また分岐線４のそれぞれが第１、第２分岐端子１３ａ、１３ｂに接続されている。このとき第１入力端子１１ａ、第１出力端子１２ａ、
抵抗素子１４、第３出力端子１２ｃ、リード線３、第２出力端子１２ｂ、第２入力端子１１ｂを辿る信号路が形成されるので、抵抗素子１４は主回線２の終端抵抗として機能する。
【００１６】
すなわち図１（ｂ）に示すように、分岐器１は、第２出力端子１２ｂと第３出力端子１２ｃとをリード線３によって短絡させることによって、抵抗素子１４を終端抵抗として機能させられる。したがって施工時に、出力端子間に挿入すべき抵抗器を持ち歩く必要がない。また第２出力端子１２ｂと第３出力端子１２ｃをリード線３によって短絡させた状態では、更に出力線を接続することはできないので、主回線２の途中に終端抵抗を設けてしまう施工ミスも防止できる。
【００１７】
抵抗素子１４の抵抗値は、主回線２をなす信号線の特性インピーダンスに合致するものを選択すべきである。例えばツイストペアケーブルの場合は、その特性インピーダンスは１００〜１２０Ω程度であるから、抵抗素子１４も同程度の抵抗値を有するものを選択すれば、信号反射が抑制できる。
【００１８】
第１、第２分岐端子１３ａ、１３ｂは、それぞれ保護用素子１５を介して第１、第２入力端子１１ａ、１１ｂに結線するとよい。保護用素子１５の種別は限定されることはなく、抵抗素子であっても、コイルであっても、コンデンサであってもよい。また複数の素子を組み合わせたフィルタ回路であってもよい。このような保護用素子１５を設ければ、分岐線４の短絡事故による主回線２全体の障害を防止したり、分岐線４に接続される通信端末のノイズを遮断したり、分岐線４に特定周波数の信号のみを伝播させたりできる。
【００１９】
この実施形態では、２分岐器について説明しているが、本発明は３分岐器にも、それ以上の分岐器にも同様に適用できる。たとえば３分岐器とした場合、第３、第４分岐端子が更に設けられて、それぞれ第１、第２入力端子１１ａ、１１ｂに結線される。
【００２０】
各端子１１ａ〜１３ｂは、複数の端子が連設された端子台に適宜割り当てるとよい。端子台の種別は限定されることはなく、ネジ締め方式のもの、速結方式のもの等が自由に使用できる。また分岐器１の内部で端子間を結線する手段も特に限定されず、各種リード線が採用できる。また複数の端子が板金によって連結された構成でもよい。
【００２１】
図２には分岐器１の具体的な外観および端子配置の例を示している。分岐器１の外観や端子配列は特に制限されることはない。図は正面カバーが外された状態の分岐器１の正面図である。筐体正面には端子１１ａ〜１３ｂが割り当てられた端子台が横配置され、各信号線が下方より導かれるように、分岐器１の底面に開口部１ａが設けられている。なお端子台は速結方式のものとしている。
【００２２】
図３には分岐器１の外観および端子配置の他例を示している。図は正面カバーが外された状態の分岐器１の正面図である。筐体正面には端子１１ａ〜１３ｂが割り当てられた端子台が縦配置され、各信号線が背面側より導かれるように、分岐器１の背面に開口部１ａが設けられている。
【００２３】
図２のような分岐器１も、図３のような分岐器１も電気的には同等なので、設置場所に適したものを選択すればよい。
【００２４】
次いで上記分岐器１を用いた集合住宅用インターホンシステムの例を簡単に説明する。
【００２５】
図４のシステム１は、制御装置２１から導出された主回線２を複数の分岐器１によって分岐させた分岐線４のそれぞれに住宅インターホン２２を接続して構成されている。住宅インターホン２２のそれぞれにはドアホン子器２３が接続されている。また制御装置２１には、ロビーインターホン２４と、管理事務室インターホン２５とが接続されている。
【００２６】
主回線２の中間部に配置された分岐器１の信号線との接続は、図１（ａ）のようになされている。一方、主回線２の終端部に配置された分岐器１は、図１（ｂ）のようになされている。そのため、主回線２の終端部に配置された分岐器１に内蔵された抵抗素子１４のみが終端抵抗として機能する。
【００２７】
住宅インターホン２２、ロビーインターホン２４、および管理事務室インターホン２５との間では、２線信号線によって、音声信号、映像信号、制御信号が多重伝送される。この多重化は周波数多重化でも、またパケット方式によるデジタル的な多重化であってもよい。
【００２８】
システム１の基本動作を簡単に説明する。すなわちロビーインターホン２４で部屋番号を指定した呼出操作がなされると、対応した住宅の住宅インターホン２２では呼出音が鳴動する。その住宅インターホン２２で応答操作がなされると、ロビーインターホン２４との間で相互通話が可能になる。また住宅インターホン２２と管理事務室インターホン２５との間での呼出通話、住宅インターホン２２同士の呼出通話も提供される。これらの相互通話は一方の終了操作または所定時間の経過によって遮断される。
【符号の説明】
【００２９】
１        分岐器
２        主回線
３        リード線
４        分岐線
１１ａ    第１入力端子
１１ｂ    第２入力端子
１２ａ    第１出力端子
１２ｂ    第２出力端子
１２ｃ    第３出力端子（付加出力端子）
１３ａ    第１分岐端子
１３ｂ    第２分岐端子
１４      抵抗素子
１５      保護用素子
２１      制御装置
２２      住宅インターホン
【図１】
0006021051.tif 000002
【図２】
0006021051.tif 000003
【図３】
0006021051.tif 000004
【図４】
0006021051.tif 000005
【図５】
0006021051.tif 000006